(57)【特許請求の範囲】
【請求項１】
配管経路に配される管部材と、前記管部材内に着脱自在に装着されるトラップ主体とからなるものであって、
前記管部材は、
一方の開口部を流入口とし、他方の開口部を流出口としたもので、内部に複数の指標を形成したリング状の指標形成部と前記トラップ主体の係合部を有し、
前記トラップ主体は、
下部開口部が後方に向かって周面が減少する傾斜面を有し、上部開口部には指標を有するフランジが形成されたもので、
前記下部開口部の後部側は遮蔽板によって閉塞され、前記遮蔽板によって閉塞されない部位を弁部材によって開閉自在としたこと
を特徴とする排水用トラップ。
【請求項２】
前記管部材は、
内周部にリング状の指標形成部が設けられるとともに、その下方に前記トラップ主体のフランジと当接するリング状の係合部が設けられたもので、
前記指標形成部には、第１の指標と第２の指標が間隔を存して形成されていること
を特徴とする請求項１に記載の排水用トラップ。
【請求項３】
前記管部材は、
前記リング状の係合部の相対する部位に、一方側の係合凹部を、他方側の係合凹部に対して偏倚させて設けられていること
を特徴とする請求項２に記載の排水用トラップ。
【請求項４】
前記トラップ主体は、
前記フランジの表面に、一対の操作用突起が形成されていること
を特徴とする請求項１に記載の排水用トラップ。
【請求項５】
前記トラップ主体は、
前記フランジの裏面に、前記管部材に形成された係合凹部とそれぞれ係合する係合片が設けられていること
を特徴とする請求項３に記載の排水用トラップ。
【請求項６】
前記トラップ主体は、
前記下部開口部の後部側は半円状の遮蔽板によって閉塞され、前記遮蔽板によって閉塞されない部位を、全体が楕円状の板状体からなる弁部材によって開閉自在としたこと
を特徴とする請求項１又は４，５のいずれかに記載の排水用トラップ。
【請求項７】
前記トラップ主体は、
前記下部開口部の遮蔽板によって閉塞されない部位を、前記遮蔽板もしくはトラップ主体に設けられた支軸に揺動自在に軸装された弁部材によって開閉自在としたこと
を特徴とする請求項１に記載の排水用トラップ。
【発明の詳細な説明】
【技術分野】
【０００１】
この発明は、排水管に配置される排水用トラップに関するものである。
より具体的には、オフィスやプラント、店舗、住居などに設けて、排水を流通させる排水用トラップに関するもので、配管技術、さらには建造物の構築技術に属するものである。
【背景技術】
【０００２】
業務用又は家庭用の空調機や冷凍冷蔵庫、厨房機器、電気温水器、さらには、緊急排水などから排出される排水の配管経路には、下流側からの臭気の伝播、虫や小動物の侵入を防止するための排水用トラップが設けられている。
かかる排水用トラップとしては、Ｓ字トラップが一般的である。
しかしながら、前記Ｓ字トラップは、排水管の折曲部分に溜った排水の封鎖作用を利用するものであるため、排水の頻度が低い場合には、トラップ内の排水が蒸発し、封鎖作用が得られなくなる課題を有し、Ｓ字トラップに代わり弁トラップ（メカニカルトラップ）が用いられるケースが増えてきた。
【０００３】
前記弁トラップは、揺動弁部材にバランスウエイトを設け、排水が無い時は、バランスウエイトによって揺動弁部材を閉鎖し、排水時には、排水の重量あるいは流水圧で弁部材が開き排水を流下させるものである。
このような排水用トラップの一例が、特開２０１０−２８５８６３号公報（特許文献１）に開示されている。
【０００４】
前記特許文献１は、構造が簡単で、床下等のように低くて狭い空間部に配置することが可能な、コンパクトな横置き型の排水用トラップの提供を目的としたものである。
【０００５】
具体的には、前記排水用トラップは、底面が平坦なトラップ主体の相対する部位に、それぞれ排水管を接続するための接続部を有するとともに、上部に開口部を有し、かつ前記開口部をキャップ部材によって開閉自在としたものであって、
前記排水用トラップを構成するトラップ主体内に、バランスウエイトを有する弁部材を横方向に開閉させるための取付座を水平に配置するとともに、
前記弁部材と常時当接し、かつ排水用の流通孔を有する弁座を、下流方向に向かって、前記取付座の一端部から底面部まで傾斜させて設けて排水流入部と排水流出部とに区画し、
前記取付座に着脱自在に装着される取付台に、前記弁部材を揺動自在に保持し、
前記弁部材を保持した取付台を、前記キャップ部材の取外しによって、前記取付座から取外し可能に構成したこと
を特徴とするものである。
【０００６】
前記特許文献１に記載の排水用トラップは、バランスウエイトを有する揺動自在の弁部材を用いて、排水流入部と排水流出部を遮断するものであって、横置き型としても、従来のように滞留水を利用することなく、下流側からの臭気の伝播、さらには虫や小動物の侵入を確実に防止するものである、とされている（段落００２１）。
【先行技術文献】
【特許文献】
【０００７】
【特許文献１】特開２０１０−２７５７６３号公報（特許請求の範囲，図１）
【発明の開示】
【発明が解決しようとする課題】
【０００８】
前記特許文献１に開示された排水用トラップは、排水の配管経路に配する場合、複数の排水管やエルボ継手などの継手を必要とするので、設置作業が煩瑣となるため、作業性が悪く、経費も嵩むなどの課題を有しているので、よりコンパクトな排水用トラップが求められている。
【０００９】
さらに、特許文献１に開示された排水用トラップは、複数の排水管や継手を介して配置されるため、メンテナンスにおいても容易ではなかった。
【００１０】
この発明はかかる現状に鑑み、排水用トラップを構成するトラップ主体を排水管の途中に着脱自在に装着可能とすることによって、排水用トラップの清掃やメンテナンスをより容易に実施することのできる排水用トラップを提供せんとするものである。
【課題を解決するための手段】
【００１１】
前記目的を達成するため、この発明の請求項１に記載の発明は、
配管経路に配される管部材と、前記管部材内に着脱自在に装着されるトラップ主体とからなるものであって、
前記管部材は、
一方の開口部を流入口とし、他方の開口部を流出口としたもので、内部に複数の指標を形成したリング状の指標形成部と前記トラップ主体の係合部を有し、
前記トラップ主体は、
下部開口部が後方に向かって周面が減少する傾斜面を有し、上部開口部には指標を有するフランジが形成されたもので、
前記下部開口部の後部側は遮蔽板によって閉塞され、前記遮蔽板によって閉塞されない部位を弁部材によって開閉自在としたこと
を特徴とする排水用トラップである。
【００１２】
この発明の請求項２に記載の発明は、
請求項１に記載の排水用トラップにおいて、
前記管部材は、
内周部にリング状の指標形成部が設けられるとともに、その下方に前記トラップ主体のフランジと当接するリング状の係合部が設けられたもので、
前記指標形成部には、第１の指標と第２の指標が間隔を存して形成されていること
を特徴とするものである。
【００１３】
この発明の請求項３に記載の発明は、
請求項２に記載の排水用トラップにおいて、
前記管部材は、
前記リング状の係合部の相対する部位に、一方側の係合凹部を、他方側の係合凹部に対して偏倚させて設けられていること
を特徴とするものである。
【００１４】
この発明の請求項４に記載の発明は、
請求項１に記載の排水用トラップにおいて、
前記トラップ主体は、
前記フランジの表面に、一対の操作用突起が形成されていること
を特徴とするものである。
【００１５】
この発明の請求項５に記載の発明は、
請求項３に記載の排水用トラップにおいて、
前記トラップ主体は、
前記フランジの裏面に、前記管部材に形成された係合凹部とそれぞれ係合する係合片が設けられていること
を特徴とするものである。
【００１６】
この発明の請求項６に記載の発明は、
請求項１又は４，５のいずれかに記載の排水用トラップにおいて、
前記トラップ主体は、
前記下部開口部の後部側は半円状の遮蔽板によって閉塞され、前記遮蔽板によって閉塞されない部位を、全体が楕円状の板状体からなる弁部材によって開閉自在としたこと
を特徴とするものである。
【００１７】
この発明の請求項７に記載の発明は、
請求項１に記載の排水用トラップにおいて、
前記トラップ主体は、
前記下部開口部の遮蔽板によって閉塞されない部位を、前記遮蔽板もしくはトラップ主体に設けられた支軸に揺動自在に軸装された弁部材によって開閉自在としたこと
を特徴とするものである。
【発明の効果】
【００１８】
この発明の排水用トラップは、排水の有無によって開閉するトラップ主体を排水管の中間部に着脱可能に設けることによって排水管と一体化させたもので、かかる構成を採用することによって、排水用トラップの配管を簡素化させ、かつコンパクトにすることができるので、設置場所の範囲が拡大される。
【００１９】
さらに、この発明の排水用トラップは、これを構成するトラップ主体を管部材に対して着脱可能としているので、排水用トラップの清掃、メンテナンス作業を大幅に簡素化することができる。
【００２０】
特に、この発明の排水用トラップにおいては、トラップ主体と排水管を構成する管部材とをバヨネット結合されることによって、排水設備の設置作業をより簡単にすることができるなど実用性がきわめて高いものである。
【図面の簡単な説明】
【００２１】
【図１】この発明の排水用トラップの一実施例を示すものであって、排水トラップを構成するトラップ主体の平面図である。
【図２】図１に示すトラップ主体の底面図である。
【図３】この発明の排水トラップを構成する菅部材の一例を示す一部切欠き平面図である。
【図４】トラップ主体を構成する弁部材の側面図である。
【図５】トラップ主体を構成する弁部材の他の例を示す側面図である。
【図６】トラップ主体と弁部材の関係を示す説明図である。
【図７】この発明の排水用トラップの使用状態を示す縦断面図である。
【発明を実施するための形態】
【００２２】
以下、この発明にかかる排水用トラップの実施の形態の一例を、添付の図面に基づいて具体的に説明する。
なお、この発明の排水用トラップは、図示の実施形態に限定されるものではなく、発明の要旨を変更しない範囲内で改良を加えることができるものである。
【００２３】
この発明の排水用トラップ１は、排水をコントロールするトラップ主体２と、このトラップ主体２を着脱自在に装着する管部材８とからなるもので、いずれもステンレスなどの金属素材や合成樹脂素材などの、適当な素材で構成されるものである。
【００２４】
前記トラップ主体２は、図６に示すように、上部に流入口２ａを有する短い筒状体の下部を、前端から後端に向けて斜めに傾斜させて流出口２ｂとするとともに、前記流入口２ａを囲繞して外方に向かってフランジ２ｃが一体的に設けられている。
【００２５】
前記フランジ２ｃの上面中央には、一対の操作用突起３，３が相対する位置に配置されるとともに、図２で明らかなように、その下面には断面Ｌ字状の一対の係合片４，４が、各係合部を外側にした状態で、一方側が他方側に対して偏倚状態で設けられ、後述する管部材８に形成された係合凹部１０ａ，１０ａとでバヨネット機構を構成する。
【００２６】
なお、前記フランジ２ｃの上面の、相対する操作用突起３，３間の中央部には、トラップ主体２を管部材８に容易に装着するための指標２ｄが設けられている。
前記指標２ｄは、前記トラップ主体２を管部材８に装着する際、図３に示すように、前記管部材８に設けられた第１の指標９ａと一致させたのち、トラップ主体２に設けた指標２ｄを管部材８の内部に設けた第２の指標９ｂ方向に回動させることによって、トラップ主体２を管部材８内に正確に装着することができる。
【００２７】
さらに、前記トラップ主体２の、下部開口部の後端側には、図５で明らかなように、開口部に沿って半円状の遮蔽板５が固定される。
この遮蔽板５によって閉止される開口部は、前記トラップ主体２の直径の１／２以下である。
【００２８】
一方の管部材８は排水管として機能するもので、図３に示すように、上面に排水の流入口８ａが、底面に横方向に突出する流出口８ｂを有するエルボ状のものであって、内面の所要部位には、前記トラップ主体２を装着するための装着部が形成されている。
【００２９】
前記装着部は、リング状の指標形成部９と、この指標形成部９の内側に突出形成されるリング状の係合部１０から構成されている。
前記指標形成部９は、前記流出口８ｂの軸線上に位置する第２の指標９ｂと、前記第２の指標９ｂから間隔を存して配される第１の指標９ａが設けられ、前記係合部１０には、一対の係合凹部１０ａ，１０ａが、一方の係合凹部１０ａが相対する部位から偏倚した状態で形成されている。
なお、一方の係合凹部１０ａには、係合させたトラップ主体２のガタつきを防止するためのストッパ１０ｂ，１０ｂが付設されている。
【００３０】
したがって、前記トラップ主体２に設けた操作用突起３，３を利用し、トラップ主体２のフランジ２ｃに形成された指標２ｄを、前記菅部材８の第１の指標９ａに合わせて、トラップ主体２を底部側から管部材８内に挿入する。
ついで、前記トラップ主体２を第２の指標９ｂ側に回動させると、トラップ主体２の下面に設けられた係合片４，４が前記係合部９の下面とバヨネット結合し、離脱不能に固定され排水用トラップ１が構成される。
【００３１】
前記トラップ主体２に装着される弁部材６は、前記遮蔽板５で閉塞された以外の開口部を開閉するものである。
この弁部材６は、図４，図５に示すように、全体が楕円状の板状体からなる弁部材６ａの基端側を、側面視「へ」字状になるよう折り曲げて屈曲部６ｂを形成し、前記屈曲部６ｂにバランスウエイト１１を装着するための透孔６ｃ，６ｃが形成されるとともに、前記屈曲部６ｂの真上近傍又は真下に軸受け部６ｄを設けたものである。
なお、前記軸受け部６ｄの先端は、前記屈曲部６ｂに当接していても、当接していなくてもよい。
【００３２】
前記バランスウエイト１１は、前記弁部材６を常時閉方向に付勢するためのもので、排水の水圧もしくは流量がバランスウエイト１１の重量より多くなった場合に、バランスウエイト１１はその付勢力を失くす。
【００３３】
かかる弁部材６は、前記軸受け部６ｄ，６ｄ間に保持された支軸７の各端部を、前記遮蔽板５の裏面、もしくは図２に示すように前記トラップ主体２に設けた軸受け７ａ，７ａに軸支することによって、揺動自在とするものである。
【００３４】
なお、前記軸受け６ｄに支軸７を保持するに際し、図５に示すように、前記軸受け６ｄの形成位置を前記屈曲部６ｂの真下に形成することによって、弁部材６の製作精度を向上させることができる。
【００３５】
さらに、前記弁部材６を揺動自在に設けるに際し、弁部材６の基端側と前記遮蔽板５の前縁側とを一部オーバーラップさせることによって、弁部材６と遮蔽板５の間に隙間が生ぜず、臭気や、虫、小動物などがトラップ主体２内に入り込むことがない。
【００３６】
かかる構成からなる排水用トラップ１は、排水管を構成する管部材８とトラップ主体２とをあらかじめ一体化させているので、排水設備の構築に際し、使用すべき排水管や継手の数が少なくなるので、配管を簡素化することができる。
【００３７】
なお、この実施例において、前記管部材８は、エルボ形状を有するものであるが、ソケットや、インクリーザー形状など、各種の形状を有するものであってもよい。
【００３８】
配管経路に配された排水用トラップ１は、図７に実線で示すように、排水がない場合、あるいは前記弁部材６を揺動させるに必要な排水量がない場合には、前記弁部材６の先端部は、バランスウエイト１１の作用によって常に流出口２ｂを閉止しているので、流出口８ｂに接続された排水管（図示せず）には排水は流れない。
【００３９】
一方、図７に示すように、空調機などからの排水が流入口８ａから流入し、流入口２ａを介して前記トラップ主体２内に溜り、その重力又は排水の流水圧によって、前記バランスウエイト１１の付勢力に抗して弁部材６が流出口２ｂ側に押圧されると、弁部材６は支軸７を支点として、図７に示すように下方に揺動して前記流出口２ｂが開口する。
【００４０】
この流出口８ｂが開口すると、前記トラップ主体２内に流入した、あるいは溜まった排水は、流出口８ｂを介して排水管（図示せず）に排出される。
その後、前記弁部材６に対する水圧が解消されると、前記弁部材６の先端部は、付設したバランスウエイト１１の作用によって、再び流出口２ｂの端面と密着当接する。
【００４１】
この発明の排水用トラップは、業務用又は家庭用の空調機や、冷凍冷蔵庫、厨房機器、電気温水器、さらには、緊急排水など排水を必要とする部位に使用することが可能なものであるが、間接排水の受け側のトラップとしても使用可能である。
【産業上の利用可能性】
【００４２】
この発明の排水用トラップは、極めてコンパクトに構成されているので、業務用又は家庭用の空調機や、冷凍冷蔵庫、厨房機器、電気温水器、さらには、緊急排水など排水を必要とする部位に使用することが可能であるため、広い産業分野で利用される可能性を有するものである。
【符号の説明】
【００４３】
１      排水用トラップ
２      トラップ主体
２ａ    流入口
２ｂ    流出口
２ｃ    フランジ
２ｄ    指標
３      操作用突起
４      係合片
５      遮蔽板
６      弁部材
７      支軸
７ａ    軸受け
８      管部材
８ａ    流入口
８ｂ    流出口
９      指標形成部
９ａ    第１の指標部
９ｂ    第２の指標部
１０    係合部
１０ａ  係合凹部
１０ｂ  ストッパ
１１    バランスウェイト
Ｌ      中心線
【図１】
0006279451.tif 000002
【図２】
0006279451.tif 000003
【図３】
0006279451.tif 000004
【図４】
0006279451.tif 000005
【図５】
0006279451.tif 000006
【図６】
0006279451.tif 000007
【図７】
0006279451.tif 000008